(57)【要約】【課題】  複数枚の化学繊維の不織布から成り、取換え自在で、拭き取りが良好にでき、且つ安価に製作でき、しかも軽くて、取扱いがし易い清掃用モップを提供する。【解決手段】  複数枚の長方形の不織布の布地を重ねて布地の相対する長辺の略中央で長辺に対して略直角な方向に縫製し、布地の相対する短辺に沿って略直角に内方に向かって中央の縫い目までの距離の略半分または１／３程度までの距離だけ、布地の厚さの複数倍の幅で切断して複数本の細長いストラップ状または平紐状あるいはリボン状の条片を形成したモップ本体を有し、モップ本体の不織布の布地は、ポリエステル繊維とレーヨン繊維とから成り、モップ本体の布地を切断する切れ目を直線状または波形状あるいはジグザグな山形状や楔形のいずれかとしたことを特徴とする。【選択図】        図１
0003128683.tif 000002
【実用新案登録請求の範囲】
【請求項１】
複数枚の長方形の不織布の布地を重ねて該布地の相対する長辺の略中央で長辺に対して略直角な方向に縫製し、前記布地の相対する短辺に沿って略直角に内方に向かって中央の縫い目までの距離の略半分または１／３程度までの距離だけ、布地の厚さの複数倍の幅で切断して複数本の細長いストラップ状または平紐状あるいはリボン状の条片を形成したモップ本体を有し、前記モップ本体の不織布の布地は、ポリエステル繊維とレーヨン繊維とから成り、前記モップ本体の布地を切断する切れ目を直線状または波形状あるいはジグザグな山形状や楔形のいずれかとしたことを特徴とする清掃用モップ。
【請求項２】
前記モップ本体の布地の略中央に、長辺方向の長さが前記モップ本体の長さの略半分以下の長さである木綿または化繊の布地のカバーを一体に、あるいは別体に設け、モップ柄の先端のモップ装着部にモップ本体およびカバーを交換可能に取付けできることを特徴とする請求項１に記載の清掃用モップ。
【考案の詳細な説明】
【技術分野】
【０００１】
この考案は、清掃用モップに関するもので、特に一般の住宅や病院、学校、ビル等の建築物や建造物等における木製や、リノリウムまたはBタイル、或いはコンクリートやタイル等の床や廊下、または家具等の表面を清掃、あるいは水拭き、ワックス掛け、乾拭き等に使用するモップに関するものである。
【背景技術】
【０００２】
従来、建築物や建造物の床や廊下を清掃する際に、モップを使用して水拭きしたり、ワックスを掛けて磨いたり、或いは乾拭きしたりしている。
【０００３】
このようなモップは、一般に水拭き用モップと呼ばれて、従前から使用されており、木綿や化学繊維の細い綱を多数本並列して縄暖簾状に作られ、モップ柄の先端の装着部に固定したり、或いは取換え可能に取付けている。
【０００４】
このような従来の水拭き用モップは、先端部分が多数本の細い綱状または紐状になっており、これら綱状または紐状の先端部を水に浸して絞り機の２つのローラの間で絞って、余分な水を除去して水拭きしたり、あるいはワックスを付けてワックス掛けをしたりして用いている。
【０００５】
このような水拭き用モップは、一般の住宅のような建築物や、病院、学校、ビル等の建造物の木製や、リノリウムまたはＢタイルの床や廊下、あるいは壁や扉等の掃除や、ワックス掛け、乾拭き等に広く用いられている。
【考案の開示】
【考案が解決しようとする課題】
【０００６】
しかしながら、従来のこのような水拭き用モップは、カビ易く、汚れたモップの汚れが落ち難いために直に使用困難になって新しいモップと交換しなければならず、更にまた、水に浸したりすると、相当に重くなって扱い難い等の欠点が見られる。
【０００７】
この考案の目的は、従来における上記の問題点を解決するために、複数枚の化学繊維の不織布から成り、取換え自在で、拭き取りが良好にでき、且つ安価に製作でき、しかも軽くて、取扱いがし易い清掃用モップを提供することにある。
【課題を解決するための手段】
【０００８】
上記の目的を達成するために、この考案の清掃用モップは、複数枚の長方形の不織布の布地を重ねて布地の相対する長辺の略中央で長辺に対して略直角な方向に縫製し、布地の相対する短辺に沿って略直角に内方に向かって中央の縫い目までの距離の略半分または１／３程度までの距離だけ、布地の厚さの複数倍の幅で切断して複数本の細長いストラップ状または平紐状あるいはリボン状の条片を形成したモップ本体を有し、モップ本体の不織布の布地は、ポリエステル繊維とレーヨン繊維とから成り、モップ本体の布地を切断する切れ目を直線状または波形状あるいはジグザグな山形状や楔形のいずれかとしたことを特徴とするものである。また、この考案の清掃用モップは、モップ本体の布地の略中央に、長辺方向の長さがモップ本体の長さの略半分以下の長さである木綿または化繊の布地のカバーを一体に、あるいは別体に設け、モップ柄の先端のモップ装着部にモップ本体およびカバーを交換可能に取付けできることを特徴とするものである。
【考案の効果】
【０００９】
このようなこの考案の清掃用モップによれば、モップ本体は、ポリエステル繊維とレーヨン繊維等の化学繊維から成る不織布の布地を、モップ部材として複数枚を重ね合わせて、中央で縫製して成るので、簡単な構成で、非常に軽くて取扱いが簡単で、操作がし易い。また、清掃用モップは、各モップ部材の短辺側を、内方に向かって直線状または波形状あるいはジグザグな山形状や楔形の切れ目によって布地の厚さの複数倍の幅で切断して、複数本の細長いストラップ状または平紐状あるいはリボン状の条辺を形成して成るので、全体としての構成が簡単で、製作がし易く、安価に製作できて費用がかからず、軽く造ることができると共に、モップ本体の重なったモップ部材の各々の表面および裏面部分を使って表裏全面を利用でき、しかも長期間に亘って使用することができるし、モップ本体が汚れた場合には、洗って汚れを落として再使用することができ、モップ本体の中央部分に木綿布地や化繊布地のカバーを取換え可能に装着して使用することによって、モップ本体の損傷と汚れを少なくして長期間の一層の使用を可能にしている。
【００１０】
また、この考案の清掃用モップは、水拭き用モップとして使用できると共に、乾拭き用モップとして使用することによって埃を良好に吸着して、拭き取りが良く、ワックス掛けに最適である。
【考案を実施するための最良の形態】
【００１１】
《実施例》
以下、この考案の実施の形態を図面に基づいて詳細に説明する。
【００１２】
図１乃至図７は、この考案の清掃用モップの一実施例と変形例とを示すもので、図示されるように、清掃用モップ１、１A、１Bは、複数枚の長方形の不織布の布地から成るモップ部材４、４ａ、４ｂを重ねて、これら複数枚の布地を、その長手方向の略中央で長辺に対して略直角な方向に縫製して、複数枚のモップ部材４、４ａ、４ｂを１つのモップ本体２、２ａ、２ｂとして形成している。更に、各モップ部材４、４ａ、４ｂは、布地の相対する短辺に沿って略直角に内方に向かって中央の縫い目５、５ａ、５ｂまでの距離の略半分程度まで、適宜な幅、例えば布地の厚さの複数倍の幅、で切断して、複数本の細長いストラップ状または平紐状あるいはリボン状の条片６、６ａ、６ｂが形成されている。
【００１３】
図１乃至図７には、この考案の清掃用モップが示されており、図１は、清掃用モップの斜視図で、図２は平面図、図３は正面図で、図４は清掃用モップと一緒に使用されるカバーの平面図、図５（ａ）、（ｂ）は、清掃用モップの第１、第２の変形例を示す平面部分図で、図６は、上記清掃用モップを清掃用具に装着する状態を示す図で、図７は、清掃用モップを清掃用具に装着した状態を示す図である。
【００１４】
図１乃至図３に示されるように、この考案の清掃用モップ１は、複数枚、図示の実施例では３枚、のモップ部材４を中央で縫って縫い目５によって一体になったモップ本体２を有している。このような清掃用モップ１のモップ本体２は、長方形の不織布の布地から成るモップ部材４を複数枚、重ね合わせて中央で縫製することによって一体に形成されており、各々のモップ部材４は、例えばポリエステル繊維８０％と、レーヨン繊維２０％とから成る不織布の布地から作られていて、このような不織布の布地を３枚乃至は４枚を重ねて（図示の実施例では３枚）、布地の略中央で、ミシンや手で縫って縫い目５によって複数枚の布地を１つにしている。縫い目５を形成する縫製は、布地の相対する長辺の略中央で長辺に対して略直角な方向にミシンで縫い合わせており、或いは手で縫うことも可能で、一直線に連続して縫ったり、間隔を置いて縫ったり、あるいは適切な個所だけを適宜な止め具を用いて縫い止めすることもできる。
【００１５】
モップ本体２を構成するこのような不織布の布地のモップ部材４は、縫製する前に、布地の相対する短辺に沿って略直角に、内方に向かって中央の縫い目５となる中心線までの距離の略半分、または約１／３の程度まで、所定の幅、例えば布地の厚さの４〜６倍の厚さの幅で切断して複数本の細長いストラップ状または平紐状あるいはリボン状の条片６を形成している。
【００１６】
このようにモップ部材４を切断する切れ目７は、モップ部材４の長手方向の中央の中心線までの距離の約１／２〜１／３程度の長さが好適であるが、これに限られずに、他の適宜な長さに勿論することもできる。
【００１７】
モップ部材４の不織布の布地は、ポリエステル繊維とレーヨン繊維とから成り、例えばポリエステル繊維が８０％で、レーヨン繊維が２０％の不織布が好適に使用できる。勿論、モップ部材４の布地は、このような不織布に限らず、ポリエステル繊維とレーヨン繊維の混紡の割合を適宜な混合率とした他の不織布、または他の任意の合成繊維から成る不織布や、綿や麻のような天然繊維の布、あるいは合成繊維と天然繊維の混紡された不織布または布地から形成することもできる。
【００１８】
このようなモップ部材４は、短辺に沿って内方に向かって略直角に切断している。このような切れ目７は、直線状またはジグザグな山形状あるいは波形状や、楔形等にすることができ、切断刃物やカッター等の適宜な切断工具を使って所要する形状に切断することができる。また、モップ本体２は、上述した不織布に限らず、他の不織布や、フエルト等の、その他の適宜な布地を使用することもできる。
【００１９】
図４に示されるように、モップ本体２の布地の略中央に、長辺方向の長さがモップ本体２の長さの略半分以下の長さの木綿または化学繊維の布地のカバー１０をモップ本体２と一体に、あるいは別体に設け、モップ器具の柄の先端のモップ装着部にモップ本体２と一緒にカバー１０を交換可能に取付けることができる。このようなカバー１０は、木綿の布地が好適であり、他に化学繊維やタオル生地、或いは不織り布等も使用することができる。また、カバー１０は、モップ本体２の中央部分に一緒にミシン縫いしてモップ本体２と一体に作ることもできるし、モップ本体２と別体として、モップ器具への装着時にモップ本体２と一緒に装着することもできる。
【００２０】
図５（ａ）、（ｂ）には、この考案の清掃用モップの第１の変形例と第２の変形例の清掃用モップが平面部分図で示されている。
【００２１】
図５（ａ）の清掃用モップ１Aは、モップ部材４ａの条片６ａを形成する切れ目７ａが山形状になったものであり、図５（ｂ）の清掃用モップ１Bは、モップ部材４ｂの条片６ｂを形成する切れ目７ｂが波形になったもので、他の部分は上述した実施例におけるものと同じである。
【００２２】
図５（ａ）に示されるように、この考案の清掃用モップ１Aのモップ本体２ａを構成するモップ部材４ａは、山形状の切れ目７ａによって条片６ａの両側の側縁がジグザグに山形状に切断されて、縁辺がジグザグな山形状になった条片６ａを有している。
【００２３】
また、図５（ｂ）に示されるように、清掃用モップ１Bのモップ本体２ｂを構成するモップ部材４ｂは、波形の切れ目７ｂによって条片６ｂの両側の側縁が波形に切断されており、縁辺が滑らかな波形になった条片６ｂを有している。
【００２４】
上記のように構成されたこの考案の清掃用モップを、清掃用具としてのモップ用具に装着して使用する使用状態について図６および図７を参照して簡単に説明する。なお、説明に当たっては、先に説明したこの考案の清掃用モップの第１の実施例の清掃用モップを用いて説明するが、勿論、変形例における清掃用モップや、他の同等の清掃用モップを使用できることは言うまでもない。
【００２５】
図示される清掃用具としてのモップ用具１００は、所謂、水拭き用モップとして知られる用具の一例を示すもので、木製または軽金属性あるいは合成樹脂製の棒から成る柄１０２の先端部に、合成樹脂材料で作られた固定側の装着部材１０６と、太い針金や金属ロッドで作られた可動側の押圧部材１０８とから成るモップ装着部１０４が設けられたものである。モップ装着部１０４は、柄１０２の先端にねじや接着剤で固着された固定側の装着部材１０６と、柄１０２に沿って滑動可能に設けられた可動側の押圧部材１０８との間に、モップ本体２をカバー１０と一緒に挟み込み、押圧部材１０８の操作レバー１１０を矢印方向に作動して、耳部１１４において操作レバー１１０に枢着された可動部材１１２を柄１０２に沿って滑動し、押圧部材１０８を装着部材１０６に対して押圧する方向、または離間する方向に動かしてモップ本体２を交換可能に装着することができるように構成されている。可動部材１１２は、装着部材１０６との間で柄１０２を取り囲んで設けられたスプリング１１６によって上方に弾性付勢され、上方に押し上げられている。
【００２６】
操作レバー１１０は、金属板材料または合成樹脂材料によって略逆Y字形に作られ、太い針金や金属ロッドにより略山形または三角形状に形成された押圧部材１０８の上方両端部が操作レバー１１０の略中央部分に外れないように枢着されている。このような逆Y字形の操作レバー１１０の脚部１１１の先端部に可動部材１１２の耳部１１４が枢着されていて、可動部材１１２と一緒に押圧部材１０８が装着部材１０６に対して滑動可能に嵌合されている。
【００２７】
このように構成されたモップ用具１００のモップ装着部１０４において、操作レバー１１０の操作によって、固定側の装着部材１０６と可動側の押圧部材１０８の押圧部１０９との間に、モップ本体２を装着するための間隙Sが形成されるので、この間隙Sに挿入されたモップ本体２を挟み込んで清掃用モップ１を取付けることができるようになっている。従って、可動側の押圧部材１０８は、柄１０２に対して上下方向に滑動可能に設けられているので、可動部材１１２の耳部１１４を中心とする操作レバー１１０の枢動操作によって押圧部材１０８を固定側の装着部材１０６から離間したり、あるいは押圧してモップ本体２を交換可能に装着することができるようになっている。
【００２８】
図６および図７に示されるように、この考案の清掃用モップ１は、このような清掃用具としてのモップ用具１００のモップ装着部１０４に取付けて使用することができる。装着に際しては、操作レバー１１０が操作されてモップ装着部１０４の装着部材１０６と押圧部材１０８の押圧部１０９との間に間隙Sが形成されるので、この間隙Sに清掃用モップ１のモップ部材２がカバー１０と一緒に中間部分まで挿入される。
【００２９】
これによって、モップ本体２はその略中間の縫い目５部分が、モップ用具１００の押圧部材１０８の押圧部１０９の上に大体位置するようになる。モップ本体２がカバー１０と一緒にモップ装着部１０４の押圧部１０９の上に位置されたならば、操作レバー１１０を操作して押圧部材１０８を装着部材１０６に対してモップ本体２を挟み込んで押圧するようにして、モップ本体２とカバー１０をモップ装着部１０４にしっかりと装着する。これによって、モップ本体２とカバー１０とがモップ用具１００に強固に取付けられて装着され、モップ用具１００が使用可能になる。
【００３０】
このようにモップ用具１００の使用時には、先ず、この考案のモップ本体２がカバー１０と一緒にモップ用具１００のモップ装着部１０４に装着される。
【００３１】
使用に際しては、例えば、モップ本体２の、最も外側の第１の面を使用して、掃除すべき面の上を拭くことによって乾拭きや、ワックス掛け、水拭き等の清掃を行うことができる。
【００３２】
モップ本体２とカバー１０は、装着されたモップ用具１００の押圧部材１０８の押圧部１０９から、左右両側に垂れ下がった状態になるので、いずれか一方の側の最も外側の、１番目のモップ部材４の面とカバー１０の面とを用いて清掃することができる。次いで、他方の側の最も外側の１番目のモップ部材４の面とカバー１０の面とを用いて清掃することができる。
【００３３】
続いて、一方の側の最も外側の１番目のモップ部材４を手繰り上げて２番目のモップ部材４を露出して、露呈した２番目のモップ部材４の外側の面を利用して清掃することができる。この時に、手繰り上げた１番目のモップ部材４の未だ使用されていない裏側の面を利用して清掃することができる。
【００３４】
このようにして、順に１番目から２番目、３番目の、左右いずれかの側のモップ部材４の、外側面と、手繰り上げて露出した次のモップ部材４の外側面と順に、あるいは交互に利用することができるし、また、手繰り上げた先のモップ部材４の裏側の露出している面を利用して清掃することができ、３枚のモップ部材４を重ね合わせたモップ本体２の、半分ずつのモップ部材４の６面を、両側に亘って合計で１２面のモップ部材４の面を利用することができ、長期間に亘って使用が可能であり、製作時の費用が安価に付く。しかも、モップ本体２自体が非常に軽量であるので、操作し易く、疲れ難く、老若を問わず、誰にでも簡単に、且つ手軽に取り扱って使用することができる。
【００３５】
上述するように、この考案の清掃用モップ１は、複数枚の長方形の不織布の布地を重ねて布地の相対する長辺の略中央で長辺に対して略直角な方向に縫製し、布地の相対する短辺に沿って略直角に内方に向かって中央の縫い目５までの距離の略半分または１／３程度までの距離だけ、布地の厚さの複数倍の幅等の、一定の適切な幅で切断して複数本の細長いストラップ状または平紐状あるいはリボン状の条片６を形成したモップ本体２を有し、モップ本体２の不織布の布地が、ポリエステル繊維とレーヨン繊維とから成っており、モップ本体２の布地を切断する切れ目７を直線状または波形状あるいはジグザグな山形状や楔形のいずれかの任意の形状とすることが可能である。
【００３６】
また、この考案の清掃用モップ１は、モップ本体２の布地の略中央に、長辺方向の長さがモップ本体２の長さの略半分以下の長さである木綿または化学繊維の布地のカバー１０を一体に、あるいは別体に設け、モップ用具１００の柄１０２の先端のモップ装着部１０４にモップ本体２とカバー１０とを一体で、あるいは別体で交換可能に取付けることができる。
【００３７】
このようなこの考案の清掃用モップ１によれば、モップ本体２は、ポリエステル繊維とレーヨン繊維等の化学繊維から成る不織布の布地を、モップ部材４として複数枚を重ね合わせて、中央で縫製して成り、各モップ部材４の短辺側を、内方に向かって直線状または波形状あるいはジグザグな山形状や楔形の切れ目７によって、布地の厚さの複数倍の幅等の一定の幅で切断して、複数本の細長いストラップ状または平紐状あるいはリボン状の条辺６を形成して成り、モップ本体２全体を軽く作ることができる。
【００３８】
このようなモップ本体２を清掃用具であるモップ用具１００のモップ装着部１０４に取付けることによって、モップ本体２全体が軽く作られているので、清掃用具としてのモップ用具１００を操作し易く、取扱いが簡単で、重なった状態のモップ部材４の各々の表面および裏面部分を使って、表裏全面を利用することができる。従って、モップ本体２を長期間に亘って使用することができるし、モップ本体２が汚れた場合には、モップ本体２を洗って汚れを落として再使用することができ、モップ本体２の中央部分に木綿布地や化繊布地のカバー１０を取換え可能に装着して使用することによって、モップ本体２の損傷と汚れを少なくして長期間の使用を可能にしている。また、清掃用モップ１のモップ本体２は、複数枚のモップ部材４を重ねて一体とすることに限らず、１枚だけのモップ部材４を用いて構成することも可能である。
【００３９】
更に、この考案の清掃用モップ１は、水拭き用モップとして使用できると共に、乾拭き用モップとして使用することによって埃を良好に吸着して、拭き取りが良く、ワックス掛けに最適である。
【産業上の利用可能性】
【００４０】
この考案の清掃用モップは、一般の住宅や、病院、学校、ビル等の建築物や建造物等における木製や、リノリウムまたはＢタイル、あるいはコンクリートやタイル等の床および廊下等の掃除や、水拭き、ワックス掛け、乾拭き等に広く用いられると共に、家具や各種の調度品等の表面の掃除や空拭き等に使用される。
【図面の簡単な説明】
【００４１】
【図１】この考案の清掃用モップの斜視図である。
【図２】図１の清掃用モップの平面図である。
【図３】図２の清掃用モップの正面図である。
【図４】この考案の清掃用モップと一緒に用いられるカバーの平面図である。
【図５】この考案の清掃用モップの変形例を示す図で、（ａ）は第１の変形例の平面部分図で、（ｂ）は第２の変形例の平面部分図である。
【図６】この考案の清掃用モップをカバーと一緒に用いるように清掃用具に装着する状態を示す斜視図である。
【図７】図６の清掃用具にこの考案の清掃用モップを装着した状態を示す側面図である。
【符号の説明】
【００４２】
１          清掃用モップ
２          モップ本体
４          モップ部材
５          縫い目
６          条片
７          切れ目
１０        カバー
１００      モップ用具
１０２      柄
１０４      モップ装着部
１０６      装着部材
１０８      押圧部材
１０９      押圧部
１１０      操作レバー
１１１      脚部
１１２      可動部材
１１４      耳部
１１６      スプリング
【図１】
0003128683.tif 000003
【図２】
0003128683.tif 000004
【図３】
0003128683.tif 000005
【図４】
0003128683.tif 000006
【図５】
0003128683.tif 000007
【図６】
0003128683.tif 000008
【図７】
0003128683.tif 000009